(57)【要約】【課題】外光によるディスプレイのコントラストの低下を防止する機能を有する従来の視認性向上シートでは、ディスプレイからの映像光の一部がルーバー内の光吸収層２２で吸収され損失となり、ディスプレイの明るさが低下するという課題があった。【解決手段】視認性向上シートをディスプレイ表面から観察側に向かって、厚み方向に２層以上の層とし、視認性向上シートの略厚み方向へ形成されている光吸収層とディスプレイからの光を透過させる光透過部からなる第１の層とその他の少なくとも１層以上の別の層を設け、この第１の層の光吸収層を含む層内のディスプレイからの光を透過させる光透過部の屈折率が、第１の層と界面を共用するように第１の層のディスプレイ表面側に設けられた第２の層の屈折率よりも高い屈折率とする。【選択図】　　　　　　　　図１
2004062084.tif 000002
【特許請求の範囲】
【請求項１】
ディスプレイの視認性を高める視認性向上シートにおいて、視認性向上シートはディスプレイ表面から観察側に向かって、厚み方向に２層以上の層からなり、視認性向上シートの略厚み方向へ形成されている光吸収層とディスプレイからの光を透過させる光透過部からなる第１の層と、その他の少なくとも１層以上の別の層からなり、前記第１の層のディスプレイからの光を透過させる光透過部の屈折率が、第１の層と界面を共用する第１の層のディスプレイ表面側に設けられた第２の層の屈折率よりも高い屈折率であることを特徴とする視認性向上シート。
【請求項２】
視認性向上シートの観察面側の表面に光を拡散させる機能を有する第３の層を設けたことを特徴とする請求項１記載の視認性向上シート。
【請求項３】
視認性向上シートの観察面側の表面に第３の層として、反射率を低下させるような低反射層、もしくは無反射層を形成したことを特徴とする請求項１記載の視認性向上シート。
【請求項４】
ディスプレイ表示部に、請求項１〜３に記載の視認性向上シートを第２の層がディスプレイ表示部側になるように貼り合わせたことを特徴とするディスプレイ。
【発明の詳細な説明】
【０００１】
【発明の属する技術分野】
本発明は、ディスプレイの前面に設置し、ディスプレイの性能、特に、ディスプレイに外光が当たった時のコントラスト低下や、ぎらつき、像の映り込み等による性能の低下を防止する機能や、ディスプレイの有効光を好適に拡散させて視野角を広くする機能等、を有する視認性向上シートおよびこれを利用したディスプレイに関するものである。
【０００２】
視認性向上シートとしては、表面の外光反射性能を工夫した、表面反射防止シートや、表面低反射率シート、ぎらつき防止シート、等の他に、ルーバーと呼ばれる光透過性を有する透明なシート層の一部にシートの略厚み方向に光吸収層を設けコントラストを向上させる機能を設けたもの等が知られている。
【０００３】
この発明は、これらの視認性向上シートの中でも、ルーバーと呼ばれる、光吸収層をシートの略厚み方向に設け、その他の部分をディスプレイからの光を透過させる光透過部とした層（以下、第１の層と呼ぶ）を設けたことを特徴とするコントラストを向上させる機能を有する視認性向上シートに関する。
【従来の技術】
【０００４】
図１０が従来技術の説明図である。図１０において、３は液晶、ＰＤＰ、有機ＥＬ、ＣＲＴ、リアプロジェクション等のディスプレイである。これらのディスプレイは、屋外等の外光の強い条件下で使用する時には、外光がディスプレイで反射して画像のコントラストを低下させ視認性が損なわれるという問題が発生している。この問題を解決するために透明なシート層の一部に光吸収層を形成し、それをディスプレイの前面に貼り合わせる方法は良く知れられるところである。この光吸収層２２をシートの略厚み方向に設け、その他の部分をディスプレイからの光を透過させる光透過部２１からなる層として、斜めからディスプレイに当たる外光を吸収させコントラストの低下を防止する機能を有するものがルーバー（本発明の第１の層と同じ意味）と呼ばれるものである。
【０００５】
図１０では、ディスプレイ３の表面にルーバー２が貼り合わされている。光吸収層２２は厚みの薄い層である。この光吸収層はディスプレイから略垂直方向に形成されていれば良く、ルーバーの断面説明図である図１０の垂直方向に直線状に伸びていても良い。図９で示すように観察側から視認性向上シート全体を見た場合、光吸収層２３は、（ａ）水平方向、（ｂ）垂直方向、または（ｃ）格子状に形成されていても良いし、または、（ｄ）ディスプレイからの光を透過させる透過部２１が円柱状でその他の部分が光吸収層２４となっていても良い。いずれにしてもシートの一部が光吸収層で、その他の部分がディスプレイからの光を透過させる光透過部からなっていれば良い。
【０００６】
ここで、外光５は、光吸収層２２で吸収されてディスプレイ３で反射する量が低下するので、外光によるコントラストの低下が軽減される。しかしながら、図１０から解るように外光だけでなく、ディスプレイから出光する映像光４１も光吸収層２２で吸収されるものがありディスプレイの明るさが低下してしまうという問題点も併せ持っている。
【０００７】
図１１は、光吸収層を含む層でディスプレイの映像光が光吸収層２２に吸収されるようすを示す図である。図１１（ａ）部では、光透過部の幅方向の中央（連続的に形成された光吸収層２２の隣り合う光吸収層との中央と同じ）からのディスプレイの光４１が光吸収層２２で吸収されるようすを示し、図１１（ｂ）部では、光透過部の幅方向の端部（光吸収層２２の近傍と同じ）からのディスプレイ光４２が光吸収層２２で吸収されるようすを示している。図１１（ａ）部のように光透過部の幅方向の中央から出るディスプレイの光４１は、ディスプレイに対して垂直な方向を０°として、−α１から＋α１の間の光は光吸収層２２に吸収されずに観察者に届くが、それ以外の光（−９０°から−α１と＋α１から＋９０°の光）は光吸収層２２に吸収され損失光となってしまう。ここで、α１は、光透過部の幅Ｌ、光吸収層の深さ（光透過部の厚みと同じ）Ｄとすると、
α１＝ｔａｎ−１（Ｌ／２Ｄ）
で表される。
次に、図１１（ｂ）部のディスプレイ光が光吸収層２２を含む層の光透過部の幅方向の端部から出光する場合には、０°からα２の範囲の光が有効光となり、それ以外の角度の光は損失光となる。ここでα２は、
α２＝ｔａｎ−１（Ｌ／Ｄ）
で表される。
この式で解るように、Ｌ／Ｄが大きくない場合、２×α１≒α２である。従って、有効光の範囲は、左側の説明図では２×α１、右側の説明図ではα２であり、おおむね等しい角度範囲の広がりとなる。光透過部中央から端部へ至る間のディスプレイからの有効光は、おおむね２×α１の角度幅であることが解る。そのため、ディスプレイからの映像光がこの角度以上で出光している場合、損失光が発生し、明るい映像を観察者へ届けられなくなってしまう問題も併せ持っている。
【０００８】
【発明が解決しようとする課題】
本発明では、上記のように、外光によるコントラストの低下を防止する機能を有する従来の視認性向上シート（ルーバー）では、ディスプレイからの映像光が光吸収層２２で吸収され損失となっている部分があり、この損失光（量）を低減し、明るい映像を観察者へ届けようとするものである。
【０００９】
【課題を解決する手段】
第１の発明は、ディスプレイの視認性を高める視認性向上シートにおいて、視認性向上シートをディスプレイ表面から観察側に向かって、厚み方向に２層以上の層とし、視認性向上シートの略厚み方向へ形成されている光吸収層とディスプレイからの光を透過させる光透過部からなる第１の層とその他の少なくとも１層以上の別の層を設け、この第１の層の光吸収層を含む層内のディスプレイからの光を透過させる光透過部の屈折率が、この層とは別に設けられた第１の層と界面を共用するように第１の層のディスプレイ表面側に設けられた第２の層の屈折率よりも高い屈折率であることを特徴とする。第１の層である光吸収層を含む層（ルーバー）のディスプレイ側に、第１の層の光を透過させる光透過部の屈折率よりも低屈折率の第２の層を形成することによって外光を吸収する機能は変えずにディスプレイからの光の損失部分を減らし、有効光の比率（透過率）を高めることができ、外光によるコントラストの低下機能を有したまま、明るい映像を観察者へ提供することができた。
【００１０】
第２の発明は、第１の発明の視認性向上シートの観察面側の表面に光を拡散させる機能を有する第３の層を設けたことを特徴とする。この第３の層である光拡散層は、光拡散の機能を有しておれば良く、第１の層であるルーバーの表面をマット化しただけの厚みのほとんどない層でも良く、レンチキュラーレンズ層や光拡散剤層としても良い。
【００１１】
第３の発明は、第１の発明に視認性向上シートの観察面側の表面に第３の層として反射率を低下させるような低反射層、もしくは無反射層を形成したことを特徴とする。
【００１２】
第４の発明は、上記の視認性向上シートをディスプレイ表示部に貼り合わせたことを特徴とする。
【００１３】
【発明の実施の形態】
図１に本発明の視認性向上シート１の原理を示す。本発明の視認性向上シート１では、光吸収層１２を含む第１の層のディスプレイ側に第２の層として光吸収層の無い層１３が界面を共用するように設けてある。そして、この光吸収層の無い第２の層１３の屈折率が第１の層内のディスプレイからの光を透過させる光透過部１１の屈折率よりも小さくなっている。この時、ディスプレイ光の吸収のされ方は次のようになる。図１（ａ）部は、図１１（ａ）部と同じように第１の層の光透過部の中央で発生するディスプレイ光の様子である。この部分で第１の層２と第２の層１３の界面１４から第１の層内の光透過部１１へ角度−α１から＋α１の光が有効光となり、それ以外の光が損失光となるのは図１１（ａ）部の従来例と同じである。なぜならば、第１の層２の構造は図１１（ａ）部と図１（ａ）部で同じであるからである。ところで、この界面１４からα１の角度で出光するにはこの界面１４に対して、下記式を満足するβ１で入光する必要がある。
β１＝ｓｉｎ−１（（ｎ２／ｎ１）ｓｉｎ（α１））
ｎ１は第２の層の屈折率
ｎ２は第１の層の光透過部の屈折率
ここで、ｎ２＞ｎ１であるから、β１＞α１となる。また、この界面１４に対するβ１より小さい入射角の出射角は、α１よりも小さくなる。従って、この光透過部の中央部付近では、−β１から＋β１の角度のディスプレイ光が有効光になる。β１＞α１であるから、図１１すなわち従来のものよりも、図１つまり本発明の方が有効になるディスプレイ光の量が多くなる。一方、外光の吸収については、光吸収層を含む層によってほぼ決まるのでほとんど変化しない。従って、外光の吸収を変化させずに、ディスプレイの明るさをより明るくすることができる。
【００１４】
以上は、図１（ａ）部は光透過部の中央部付近のことであるが、このことは図１（ｂ）部の光透過部の端部（光吸収層の近傍）でも同様であり、
β２＝ｓｉｎ−１（（ｎ２／ｎ１）ｓｉｎ（α２））
となり、０°からβ２の光が有効光となる。前に述べたように、２×α１≒α２であるから２×β１≒β２となる。ディスプレイ全体にわたって、この有効光の角度は、従来技術の場合２×α１、本発明では、２×β１になり、ディスプレイの発光が、±γの拡がりを持ち、γ＞β１かつβ１＞α１で、この範囲内で明るさが等方的であれば、従来技術の有効光の割合はα１／γであり、本発明の場合はβ１／γとなり、本発明の効率は従来技術のβ１／α１倍となる。従って、β１＞α１であるから、効率は１以上になり、本発明が有効であることがわかる。
【００１５】
第１の層の光透過部１１として使用できる高屈折率の材料と、そのディスプレイ側に形成された第２の層１３の低屈折率の材料のについて検討する。両者の屈折率差は、大きいほうが屈折による本発明の効果が大きくなり望ましいが、実用可能な材料を検討すると、高屈折率層１１の材料としては、屈折率が１．５〜１．６５程度のポリカーボネート樹脂やポリスチレン樹脂、アクリル樹脂、エポキシ樹脂等から選択し、低屈折率の材料の層１３の材料としては、屈折率が１．３〜１．４程度のフッ素樹脂を選択することになり、結果として屈折率差は０．２〜０．３程度となる。
【００１６】
これまでの説明はディスプレイと光吸収層を含む第１の層が近い場合について述べたが、図２のように第１の層２とディスプレイ３の表面との間に距離があっても同様である。なぜなら、ディスプレイが光吸収層を含む層に接していない場合にも光吸収層のなくなる部分、図２で示される６で発光している（つまり接している場合）と光学的には同じとみなせるからである。なぜならば、６のラインのうち１点からα方向に進む光はディスプレイ方向に延長した直線がディスプレイ３と交わる点から同じ角度αで出光した光と考えられるからである。
【００１７】
本発明では、ディスプレイからの映像光を光吸収層での吸収が少なくなるような角度範囲内の拡散範囲とさせて、第１の層２の光透過部１１を通過させ、その後、第１の層の観察側表面での屈折等で光の拡散範囲を広くすることができる。
【００１８】
そこで、リアプロジェクションディスプレイのような光の拡がり方が全方向に均等ではなく、ある角度範囲に限定できるようなものに本発明を用いると視野角を狭くすることなく、コントラストだけを向上させることができる。特に、上記リアプロジェクションディスプレイのようにスクリーンによって垂直方向の光の拡がり方のコントロールが容易であるものであれば、あらかじめ垂直方向の光の拡がり方を第１の層を通過する角度範囲に設定（上記のγをα１やβ１よりも小さく）すれば、光効率を低下させずにコントラストを向上させることができる。この時、垂直方向の視野角が不足するのであれば、発明の第２の態様のように第１の層の観察側表面に微小な凹凸層を形成し、そこで垂直方向に光が少し拡散するようにすれば良い。また、この層を微小なレンチキュラーレンズ層としても良い。
【００１９】
本発明は、様々な変形が可能であって、図５のように観察側表面に第３の層として、視野角を増加させるために凹凸層１５を設けても良いし、また、本発明の視認性向上シートの最表面の材料の屈折率よりも低い屈折率の材料を可視光光線の波長の１／４程度の厚みで多層コーティングして無反射層や低反射層を形成しても良い。さらに、光吸収層の断面は、幅の狭い長方形ではなく、図４に示すように台形形状や他の形状であっても良い。また、本発明は、ディスプレイの視認性を向上させるものであり、特に外光による視認性の低下（コントラストの低下等）を防止しするものであり、そのため、既に述べたことではあるが、光吸収層２３は、想定される外光がディスプレイに向かう方向とディスプレイの観察者の方向を考慮して、図９で示すように観察側から視認性向上シート全体を見た場合、（ａ）水平方向、（ｂ）垂直方向、または（ｃ）格子状に形成されていても良いし、または、（ｄ）ディスプレイからの光を透過させる光透過部２１が円柱状等でその他の部分が光吸収層２４となっていても良い。さらに、視認性向上シート内の光吸収層は、ディスプレイ面に垂直に設けられている場合で説明を行ってきたが、ディスプレイの使用環境（外光がディスプレイに当たる向き、主な観察者の方向（位置）等）が明確な場合、その条件に合わせて、光吸収層はディスプレイの垂直方向からある傾きを持たせて作製し、外光の吸収率の向上と視野（拡散）角度のバランスを取ることもできる。
【００２０】
図８（ａ）、（ｂ）は、大型なディスプレイ装置が、ディスプレイを利用する観察者よりも上方にあり、外光５（太陽光を想定）がさらに上方から来る場合を想定したものである。この場合、外光５は上方からのみであるので図９（ａ）のように光吸収層１２は水平方向へ伸びる方向に設置されていれば良い。また、視認性向上シート内の光吸収層１２は、外光５の吸収を良くし、観察者方向への光拡散を有利にするために、図８（ｃ）のように、ディスプレイ面から垂直ではなく、やや下向きに形成することができる。このように、光吸収層は、ディスプレイ面から垂直方向のみに限定されるものではない。
【００２１】
【実施例１】
図１の構成のもの
Ｌ＝０．３６ｍｍ
Ｄ＝１ｍｍ
第１の層の光吸収層１２の幅：０．０２ｍｍ
第１の層の光吸収層の配置：図９（ａ）
第２の層（低屈折率層）１３の厚み：０．１ｍｍ
第２の層（低屈折率層）１３の屈折率：ｎ＝１．３５（フッ素樹脂）
第１の層の光透過部１１の屈折率：ｎ＝１．６５（変性アクリル樹脂）
α１＝１０．２°　　　　α２＝１９．８°
β１＝１２．５°　　　　β２＝２４．５°
β１／α１＝１．２３　　β２／α２＝１．２４
従って、ディスプレイの明るさが等方的でその広がり角度がβ２（＝２４．５°）よりも大きいものであれば、本実施例１では約２３％明るさが向上する。
【００２２】
【実施例１の作成方法】
アクリル樹脂製の液晶ディスプレイの表面部材の上に第２の層（低屈折率層）としてフッ素樹脂を１００μｍ厚みコーティングし、その上に第１の層の光吸収層の部分に相当する板状部分を有する金型を用いて変性アクリル樹脂をキャスティング（重合成形）する。こうしてできた溝の部分に光吸収層として溶剤系黒インクをワイピング法で埋め込み、熱風乾燥させる。こうして作製した表面部材を１５インチサイズの液晶ディスプレイの表面にセッティング（貼り合わせ）した。
【００２３】
前記第２の層の位置に第１の層の光透過部の材料と同じ屈折率（１．６５）のＵＶ硬化性の変性アクリル樹脂をコーティングしＵＶ硬化した点以外は実施例１と同じ方法で比較サンプルを作成した。ディスプレイの明るさを、ディスプレイ正面側に照度計の観察面を向け、測定したところ、比較例の５０ｌｍ／ｍ２から実施例１の６０ｌｍ／ｍ２へと明るくなった。
【００２４】
【実施例２】
図３に示すシート構成のもので、ポリエステルフィルム７の上に第１の層が形成され、低屈折率粘着剤８でディスプレイに貼り合わされているもの。
ポリエステルフィルムの厚み：０．１ｍｍ（屈折率ｎ＝１．６）
第２の層（低屈折率粘着剤）の厚み：０．０３ｍｍ（屈折率ｎ＝１．３）
第１の層の厚みＤ１＝０．６ｍｍ
第１の層の光透過部の屈折率：ｎ＝１．６
第１の層の光吸収層の深さＤ＝０．５７ｍｍ
第１の層の光透過部の幅Ｌ＝０．４ｍｍ
第１の層の光吸収層の幅：０．０２ｍｍ
第１の層の光吸収層の配置：図９（ａ）
α１＝１５．９°　　　　α２＝２９．７°
β１＝１９．８°　　　　β２＝３７．６°
β１／α１＝１．２５　　β２／α２＝１．２７
従って、ディスプレイの明るさが等方的でその広がり角度がβ２（＝３７．６°）よりも大きいものであれば、本実施例２では約２５％明るさが向上する。
【００２５】
【実施例２の作成方法】
ポリエステルフィルム上に第１の層の光透過部の逆型の金型を用いてＵＶ樹脂で第１の層の光透過部の形状を形成し、その後、溝の部分に上記ワイピング法で黒インクを埋め込み、ポリエステルフィルムの反対側の面に第２の層として低屈折率粘着剤３０μｍ厚みをコーティングして視認性向上シートを作成した。この視認性向上シート１を図６のように４０インチのＰＤＰ表面６１に貼り合わせた。
【００２６】
前記第２の層の位置に第１の層の光透過部の材料と同じ屈折率（１．６）の変性アクリル樹脂粘着剤をコーティングした点以外は実施例２と同じ方法で比較サンプルを作成した。ディスプレイの明るさを、ディスプレイ正面側に照度計の観察面を向け、測定したところ、比較例の１００ｌｍ／ｍ２から実施例２の１２５ｌｍ／ｍ２へと明るくなった。
【００２７】
【実施例３】
図４に示すシート構成のもので、第１の層の光吸収層１２がくさび状であること以外は実施例２と同じ。
第１の層の光透過部の幅Ｌ＝０．４ｍｍ
第１の層の光吸収層の幅（表面側）Ｗ１＝０．０８ｍｍ
第１の層の光吸収層の幅（底側）Ｗ２＝０．０２ｍｍ
第１の層の光吸収層の形状以外の部分は実施例２と同じであり、この程度の光吸収層の厚みの変化はほとんど影響を与えないから実施例２の時と同様約２５％明るさが向上する。この視認性向上シートを２インチの有機ＥＬ表面に貼り合わせた。実施例２と同様に比較サンプルを作成し、ディスプレイの明るさをディスプレイ正面側に照度計の観察面を向け、測定したところ、比較例の４０ｌｍ／ｍ２から実施例３の５０ｌｍ／ｍ２へと明るくなった。このような形状にすると第１の層の光吸収部形状に抜きテーパーが付き、第１の層を成形する時に離型が容易になると言うメリットが付加的に発生する。
【００２８】
【実施例４】
実施例３の視認性向上シートの観察面側の表面を拡散の半値角が５°の表面マット状１５として、図７（ａ）のように垂直拡散（１／１０角値）が２０°のリアプロジェクションディスプレイのスクリーン７１表面に、観察側から見た時に第１の層の光吸収層が図９（ａ）のように水平方向に並んでいるように貼り合わせた。図７（ｂ）のようにリアプロジェクションディスプレイ７０（プロジェクター７２、ミラー７３を筐体内に設置）のスクリーンの位置にスクリーン７１とこの視認性向上シート１を貼りあわせたもの７７を設置し、観察を実施した。ディスプレイの明るさはほとんど変化せずにコントラストが向上し垂直視野角も十分で、さらに、映像を妨害する映り込みも観察されなかった。
【００２９】
【実施例５】
実施例１と同じ構成とした。但し、第２の層の低屈折率層を低屈折率粘着剤層とした。第１の層の作製方法は光透過部と光吸収層を変性アクリル樹脂の２層共押出しして作り、そのシートを熱軟化点温度以上の状態で積層し、熱融着させ、その後、１ｍｍ厚にカットして作製した。その上に第２の層として低屈折率粘着剤をコーティングして視認性向上シートとし、ディスプレイに貼り合わせた。
【００３０】
【実施例６】
実施例２の構成の視認性向上シートを作成した。これとは別に、厚さ０．０５ｍｍのポリエステルフィルムの片側に多層蒸着の低反射層（反射率０．２％）を形成した。このポリエステルフィルムを実施例２の構成の視認性向上シートの第１の面側に貼り合せた。
【００３１】
実施例２での明るさ比較と同様に比較サンプルを作成した。ディスプレイの明るさを、ディスプレイ正面側に照度計の観察面を向け、測定したところ、比較例の１００ｌｍ／ｍ２から実施例２の１２５ｌｍ／ｍ２へと明るくなった。さらに蛍光灯等の外光の映りこみも目立たなかった。
【００３２】
【発明の効果】
第１の発明によれば、ディスプレイと従来技術の視認性向上シートの間に、視認性向上シートの第１の層の光透過部の屈折率よりも屈折率が小さい材料の第２の層を設けることによって、ディスプレイから出光する映像光の中で光吸収層で吸収されて損失となる割合を減少させることができ、明るい映像を観察者へ提供することができるようになった。
第２の発明では、上記視認性向上シートの観察側表面に微細な凹凸層等の光拡散層を設け、視認性向上シートによって制限された視野角の拡大をはかり、多数の観察者に良い映像を提供できるようになった。
第３の発明では、視認性向上シートの観察側表面に低反射層や無反射層を設け、明るい映像を提供する視認性向上シートの性能をさらにアップさせることができた。
第４の発明では、上記視認性向上シートをディスプレイ表示部に装着し、視認性の高いディスプレイを提供し、明るく視認性に優れた映像を多くに観察者へ提供できるようになった。
【図面の簡単な説明】
【図１】本発明の視認性向上シートの説明図である。
【図２】本発明のディスプレイ表面と第１の層が離れている場合の説明図
【図３】本発明の視認性向上シートの実施例２の形態の説明図である。
【図４】本発明の視認性向上シートの実施例３の形態の説明図である。
【図５】本発明の視認性向上シートで３層構造の説明図である。
【図６】本発明の視認性向上シートを液晶ディスプレイに貼り合わせた状態の説明図である。
【図７】本発明の実施例４の視認性向上シートをリアプロジェクションディスプレイ用スクリーンに貼り合わせた状態とディスプレイの構成説明図である。
【図８】第１の層の光吸収層がディスプレイの垂直面から下側へ傾いている視認性向上シート例の説明図である。
【図９】観察側から見た第１の層の光吸収層の位置の説明図（例示）である。
【図１０】従来技術による視認性向上シートの説明図である。
【図１１】従来技術による視認性向上シートでのディスプレイからの映像光の有効部分、損失部分の説明図である。
【符号の説明】
１　　本発明の視認性向上シート
２　　第１の層（光吸収層を含む層）
３　　ディスプレイ
５　　外光
８　　太陽
９　　床面
１１、２１　ディスプレイからの光が通る透過部
１２、２２、２３、２４　光吸収層（Ｌがピッチで、Ｄが高さ）
１３　第２の層（低屈折率層）
１４　第１の層と第２の層（低屈折率層）の界面
１５　光拡散層
１９　ディスプレイからみた観察者のいる方向
４１、４２　ディスプレイからの映像光
６０　ディスプレイの筐体
６１　ディスプレイの表示部
７０　リアプロジェクションディスプレイ
７１　リアプロジェクションディスプレイのスクリーン
７２　プロジェクター
７３　ミラー
７７　本発明の視認性向上シートをスクリーンに貼り合わせたもの
【図１】
2004062084.tif 000003
【図２】
2004062084.tif 000004
【図３】
2004062084.tif 000005
【図４】
2004062084.tif 000006
【図５】
2004062084.tif 000007
【図６】
2004062084.tif 000008
【図７】
2004062084.tif 000009
【図８】
2004062084.tif 000010
【図９】
2004062084.tif 000011
【図１０】
2004062084.tif 000012
【図１１】
2004062084.tif 000013